(57)【要約】【課題】電子機器を制御する制御装置において、検査が実施されていない制御装置が市場に流出し、一般使用者によって使用されることが防止された制御装置を提供すること。【解決手段】電源投入が検出された時に、制御部の検査が完了していないことを示す検査未完了データが不揮発性記憶手段に記憶されている場合には、検査モードが実行され、制御部の検査が完了していることを示す検査完了データが不揮発性記憶手段に記憶されている場合には、通常モードが実行される。制御部の検査が完了された時に、不揮発性記憶手段に記憶された検査未完了データが検査完了データに置換される。【選択図】図２
2014106067.tif 000002
【特許請求の範囲】
【請求項１】
電子機器を制御可能な制御部を備え、
前記制御部は、前記制御部の検査が完了しているかどうかを判定する検査状況判定手段と、前記制御部の検査が完了していないことを示す検査未完了データと前記制御部の検査が完了していることを示す検査完了データとを記憶可能な不揮発性記憶手段と、前記制御部の検査が完了した時に前記不揮発性記憶手段に記憶された前記検査未完了データを前記検査完了データに書き換えるデータ書き換え手段と、前記制御部に電源が投入されたことを検出する電源投入検出手段と、前記電子機器を作動させるための制御を実行する通常モードと、前記制御部の検査を実行する検査モードとを選択的に実行可能なモード選択手段とを有し、
前記電源投入検出手段が電源投入を検出した時に、前記検査未完了データが前記不揮発性記憶手段に記憶されている場合には、前記モード選択手段が前記検査モードを実行し、前記検査完了データが前記不揮発性記憶手段に記憶されている場合には、前記モード選択手段が前記通常モードを実行し、
前記制御部の検査が完了された時に、前記データ書き換え手段が前記不揮発性記憶手段に記憶された前記検査未完了データを前記検査完了データに置換することを特徴とする制御装置。
【請求項２】
前記制御部はマイクロコンピュータであり、前記不揮発性記憶手段は前記マイクロコンピュータに内蔵された不揮発性記録媒体であることを特徴とする請求項１に記載の制御装置。
【請求項３】
前記検査完了データは、前記検査未完了データに置換可能であることを特徴とする請求項１又は２に記載の制御装置。
【請求項４】
前記不揮発性記憶手段に前記検査未完了データが記憶されているか前記検査完了データが記憶されているかの区別を外部に通知可能な通知部をさらに有することを特徴とする請求項１〜３のいずれかに記載の制御装置。
【請求項５】
前記通知部は、点滅可能な発光手段を有し、前記不揮発性記憶手段に前記検査未完了データが記憶されていることは、前記発光手段が点滅されることによって外部に通知され、前記不揮発性記憶手段に前記検査完了データが記憶されていることは、前記発光手段が点灯されないことによって外部に通知されることを特徴とする請求項４に記載の制御装置。
【請求項６】
衛生洗浄装置に備えられることを特徴とする請求項１〜５のいずれかに記載の制御装置。
【発明の詳細な説明】
【技術分野】
【０００１】
本発明は、制御装置に関し、さらに詳しくは電子機器の制御装置であって検査モードを有するものに関する。
【背景技術】
【０００２】
電子機器を制御する制御装置においては、その電子機器が市場に供給される前に、動作確認等の検査が行われることが多い。この種の制御装置においては、使用者がその電子機器を使用できるように電子機器の動作を制御する通常モードと、制御装置自体の検査を行う検査モードとをそれぞれ独立に実行できることが求められる。
【０００３】
例えば、特許文献１においては、衛生洗浄装置の制御装置において、電源投入時に、予め設定された複数個の動作スイッチを同時に押しながら電源投入を行う等の強制スイッチ入力がなされた場合にのみ、検査モード（強制スイッチ受付モード）が開始される。強制スイッチ入力がない場合には、通常モード（通常動作モード）が実行される。
【先行技術文献】
【特許文献】
【０００４】
【特許文献１】特開平６−１３６８０６号公報
【発明の概要】
【発明が解決しようとする課題】
【０００５】
上記特許文献１における強制スイッチ入力のように、検査モードを実行するために特別な入力を要する制御装置においては、特別な入力がされないかぎり通常モードが自動的に実行されるので、検査モードが実行されなかった制御装置を備える電子機器が市場に供給されてしまった場合、一般使用者が電源投入を行うと、検査モードが一度も実行されることなく、通常モードが実行されることになる。すると、仮にこの制御装置に異常や故障があった場合、一般使用者による電子機器の使用に支障をきたすことになる。
【０００６】
本発明が解決しようとする課題は、電子機器を制御する制御装置において、検査が実施されていない制御装置が市場に流出し、一般使用者によって使用されることが防止された制御装置を提供することにある。
【課題を解決するための手段】
【０００７】
上記課題を解決するために、本発明にかかる制御装置は、電子機器を制御可能な制御部を備え、前記制御部は、前記制御部の検査が完了しているかどうかを判定する検査状況判定手段と、前記制御部の検査が完了していないことを示す検査未完了データと前記制御部の検査が完了していることを示す検査完了データとを記憶可能な不揮発性記憶手段と、前記制御部の検査が完了した時に前記不揮発性記憶手段に記憶された前記検査未完了データを前記検査完了データに書き換えるデータ書き換え手段と、前記制御部に電源が投入されたことを検出する電源投入検出手段と、前記電子機器を作動させるための制御を実行する通常モードと、前記制御部の検査を実行する検査モードとを選択的に実行可能なモード選択手段とを有し、前記電源投入検出手段が電源投入を検出した時に、前記検査未完了データが前記不揮発性記憶手段に記憶されている場合には、前記モード選択手段が前記検査モードを実行し、前記検査完了データが前記不揮発性記憶手段に記憶されている場合には、前記モード選択手段が前記通常モードを実行し、前記制御部の検査が完了された時に、前記データ書き換え手段が前記不揮発性記憶手段に記憶された前記検査未完了データを前記検査完了データに置換することを要旨とする。
【０００８】
ここで、前記制御部はマイクロコンピュータであり、前記不揮発性記憶手段は前記マイクロコンピュータに内蔵された不揮発性記録媒体であることが好適である。
【０００９】
また、前記検査完了データは、前記検査未完了データに置換可能であることが好ましい。
【００１０】
そして、前記制御装置は、前記不揮発性記憶手段に前記検査未完了データが記憶されているか前記検査完了データが記憶されているかの区別を外部に通知可能な通知部をさらに有することが好ましい。
【００１１】
このとき、前記通知部は、点滅可能な発光手段を有し、前記不揮発性記憶手段に前記検査未完了データが記憶されていることは、前記発光手段が点滅されることによって外部に通知され、前記不揮発性記憶手段に前記検査完了データが記憶されていることは、前記発光手段が点灯されないことによって外部に通知されるとよい。
【００１２】
また、前記制御装置は、衛生洗浄装置に備えられることが好ましい。
【発明の効果】
【００１３】
上記発明にかかる制御装置においては、制御部の検査が未完了である状態で電源を投入するだけで、自動的に検査モードが実行される。これにより、検査を経ない制御装置が市場に流出し、一般使用者の使用に供されることが防止される。
【００１４】
また、検査モードを実行するために、特別な入力を行う必要がなく、制御装置の検査のための工程が簡略化されるとともに、特別な入力を行うための機器等の装備も必要がなく、検査に要するコストが抑制される。
【００１５】
ここで、前記制御部はマイクロコンピュータであり、前記不揮発性記憶手段は前記マイクロコンピュータに内蔵された不揮発性記録媒体であると、制御装置全体が小型化され、限られた空間にも制御装置を配置することができる。
【００１６】
また、前記検査完了データが、前記検査未完了データに置換可能であると、検査が一旦完了されて検査完了データが記憶された後でも、検査未完了データに書き換えることで、一度検査を経た制御装置に対して再び制御部の検査を実行することができる。このようなことが可能であると、検査のやり直し等の要請に対応することができ、制御部の検査において、一層確実を期すことができる。
【００１７】
そして、前記制御装置が、前記不揮発性記憶手段に前記検査未完了データが記憶されているか前記検査完了データが記憶されているかの区別を外部に通知可能な通知部をさらに有すると、制御部の検査が完了しているかどうかを製造者や使用者が明確に認識することができる。
【００１８】
このとき、前記通知部は、点滅可能な発光手段を有し、前記不揮発性記憶手段に前記検査未完了データが記憶されていることは、前記発光手段が点滅されることによって外部に通知され、前記不揮発性記憶手段に前記検査完了データが記憶されていることは、前記発光手段が点灯されないことによって外部に通知されるのであれば、制御部の検査が完了されていない場合には、電源を投入した際に発光手段が点滅することで、製造者に検査が未実施であることを強く認識させることができる。また、万一、検査未完了データが記憶されたままの制御装置が市場に流出してしまったとしても、使用者に注意を喚起することができる。一方、検査が完了されている場合には、発光手段が点灯されないことで、使用者が制御装置又は電子機器に異常が存在するとの不安を抱かず、制御装置及び電子機器を安心して使用することができる。
【００１９】
また、前記制御装置が、衛生洗浄装置に備えられる場合には、構成部材や温水が直接人体に接触するという衛生洗浄装置の性質に鑑みると、制御装置の異常や故障に由来する火傷や感電の発生といった深刻な事故を効果的に防止することができる。
【図面の簡単な説明】
【００２０】
【図１】本発明の一実施形態にかかる制御装置の構成を示すブロック図である。
【図２】上記制御装置の動作を示すフロー図である。
【発明を実施するための形態】
【００２１】
以下、本発明の一実施形態にかかる制御装置について、図面を参照しながら詳細に説明する。
【００２２】
図１は、本発明の一実施形態にかかる制御装置１の構成を示すブロック図である。制御装置１は、電子機器（不図示）を制御する制御部１０を備える。
【００２３】
制御部１０は、モード選択手段１１、電源投入検出手段１２、検査状況判定手段１３、データ書き換え手段１４、不揮発性記憶手段１５、検査モード実行手段１６及び通常モード実行手段１７を有する。制御部１０は、具体的にはマイクロコンピュータ（マイコン）等によって具現される。
【００２４】
制御部１０は、電子機器を使用者が通常の方法で使用する際に電子機器の制御を行う通常モードと、制御部１０自体に異常又は故障がないかを製造者が検査する検査モードとを有する。これらのモードは、いずれか一方しか同時には実行できない。モード選択手段１１は、通常モード又は検査モードのいずれか一方を選択して実行させる機能を有する。
【００２５】
電源投入検出手段１２は、例えば商用電源への電源プラグの接続などによって制御部１０を含む制御装置１に電源が投入されたことを検出することができる。電源投入検出手段１２が電源投入を検出すると、モード選択手段１１に電源投入の検出を示す信号が伝達される。
【００２６】
検査状況判定手段１３は、制御部１０に対する検査の実施状況を検知し、検査がすでに完了しているか、完了していないかを判定する。そして、その判定結果をデータ書き換え手段１４に出力する。
【００２７】
データ書き換え手段１４は、検査状況判定手段１３から伝達された制御部１０の検査の実施状況に応じて、不揮発性記憶手段１５に記憶された検査完了データと検査未完了データの間の書き換えを行う。
【００２８】
不揮発性記憶手段１５は、検査モードでの制御部１０の検査が完了していることを示す「検査完了データ」及び制御部１０の検査が完了していないことを示す「検査未完了データ」を記憶することができる。これら２つのデータは、同時に一方のみ制御部１０に記憶され、相互に書き換え可能である。不揮発性記憶手段１５は、Ｅ２ＰＲＯＭ等の不揮発性記録媒体によって具現され、制御装置１全体の小型化の観点から、マイコンによって具現される制御部１０に内蔵されたものであることが望ましい。なお、制御部１０の製造直後の状態においては、不揮発性記憶手段１５には検査未完了データが書き込まれている。
【００２９】
不揮発性記憶手段１５に検査未完了データが記憶されている状態において、検査モードが実行され、検査状況判定手段１３からデータ書き換え手段１４にそのことを示す信号が入力されると、データ書き換え手段１４が不揮発性記憶手段１５に記憶された検査未完了データを検査完了データに置換する。一方、制御装置１が後述する特殊入力部３０を有する場合には、不揮発性記憶手段１５に検査完了データが記憶されている状態において、特殊入力部３０からデータ書き換え手段１４への入力が行われると、データ書き換え手段１４は、不揮発性記憶手段１５に記憶された検査完了データを検査未完了データに置換する。
【００３０】
検査モード実行手段１６は、モード選択手段１１が検査モードを選択した際に、モード選択手段１１から信号入力を受けて、検査モードを実際に実行する。制御部１０に対する検査の具体的な内容は、制御装置１による制御内容及び制御装置１によって制御される電子機器の機能等に応じて設定されるものであるが、電子基板に実装された電子部品等、制御部１０の構成部品に異常や故障がないかが確認される。例えば、検査モードが実行されると、制御部１０に一定の入力を行い、それに対する応答出力を確認する等の検査が自動的に制御部１０内で行われる形態を例示することができる。この検査の過程で何らかの異常や故障が制御部１０に発見された場合には、検査モード実行手段１６がそのことを示す出力を行うことで作業者に認識させればよく、異常の性質によっては、較正等を自動的に行ってもよい。あるいは、このように検査モードの実行によって、必要な部品の検査等が全て自動的に行われる必要はない。例えばモード選択手段１１が検査モードを選択すると、検査モード実行手段１６が制御部１０の電子基板に作業者が検査用のテスタを取り付けられる状態にしたり、作業者が電子基板を取り外せる状態にしたりし、その後作業者が実際にテスタの取り付けや電子基板の取り外しを行って、各電子部品等の検査を実施する形態とすることもできる。なお、この場合に、制御部１０の検査が完了していると検査状況判定手段１３が判断する状況は、単に検査モードが実行されたというだけではなく、検査モードにおいて、テスタの取り付けや基板の取り外しを伴う制御部１０の検査が全て完了されている状況を指す。
【００３１】
通常モード実行手段１７は、モード選択手段１１が通常モードを選択した際に、モード選択手段１１から信号入力を受けて、通常モードを実際に実行する。
【００３２】
制御装置１には、制御部１０とともに通知部２０を備えることができる。通知部２０は、制御部１０の検査状況判定手段１３から入力を受け、電源投入検出手段１２によって電源投入の検出がモード選択手段１１に伝達された時に不揮発性記憶手段１５が記憶しているのが、検査完了データであるか検査未完了データであるかの区別を、人間に認識できる形態で制御装置１の外部に通知する。通知部２０の具体的な構成としては、ＬＥＤランプのような発光手段を例示することができる。
【００３３】
この場合、不揮発性記憶手段１５に検査完了データが記憶されている時には発光手段が点灯せず、検査未完了データが記憶されている時には発光手段が点滅する形態とすることが好ましい。もし検査完了データが記憶されている場合に、発光手段が点灯（点滅）する構成とした場合には、使用者が制御部１０の検査によって異常がないことが確認されている制御装置１を使用するために電源投入を行った瞬間に、発光手段が点灯（点滅）し、何らかの異常があるのではないかとの疑念や不安を使用者に与える可能性が高い。一方、上記のように、検査が完了している場合には発光手段が点灯しない構成とすると、使用者が安心して、検査が完了した制御装置１及び電子機器を使用することができる。また、検査が未完了の場合には、発光手段が点滅することにより、注意を喚起することができるので、製造者が市場への供給の前に例えば（制御部１０に特化した検査ではなく）電子機器全体の動作検査等のために電源投入を行った際に、制御部１０の検査が未実施であったことを製造者に強い印象で認識させることができる。さらに、万一制御部１０の検査を行っていない制御装置１が市場に流出したとしても、使用者に製造者への通報等の対策を促すことができる。
【００３４】
制御装置１は、さらに特殊入力部３０を備えていることが好ましい。不揮発性記憶手段１５に検査完了データが記憶されている状態で、特殊入力部３０からデータ書き換え手段１４に信号が入力されると、データ書き換え手段１４は、不揮発性記憶手段１５の検査完了データを検査未完了データに置換する。通常は、制御部１０の検査が一旦完了され、データ書き換え手段１４によって不揮発性記憶手段１５に検査完了データが書き込まれると、検査が既に完了している事実は変動しないので、検査完了データが検査未完了データに置換されることはない。しかし、検査が一旦完了した場合に、検査の不備や一層詳細な検査の実施などのために、製造者において制御部１０の検査を再び行う必要が生じた場合には、特殊入力部３０からデータ書き換え手段１４に信号を入力することで、不揮発性記憶手段１５の記憶データを検査未完了データに書き換えることができる。すると、次に電源投入がなされた際に、モード選択手段１１が検査モードを選択し、通知部２０にも検査未完了であることが表示され、再び制御部１０の検査を実施することが可能となる。
【００３５】
このような特殊入力部３０の機能に鑑みると、一般の使用者が容易に特殊入力部３０を操作してデータ書き換え手段１４に信号入力を行えることは好ましくない。具体的には例えば、制御部１０を構成する電子基板上など、一般の使用者が容易に操作できない箇所に信号入力用スイッチを設ける、複雑な操作を行わない限り信号入力を行えないようにするなどして特殊入力部３０を構成すればよい。
【００３６】
次に、図２のフロー図に基づいて、上記制御装置１の動作を説明する。
【００３７】
初期状態において、制御部１０への電源供給は遮断されている。ステップＳ０において、例えば電源プラグの商用電源への接続等によって制御部１０への電源投入が行われる。すると、電源投入検出手段１２が電源の投入を検出し、モード選択手段１１にそのことを示す信号を出力する。
【００３８】
電源投入検出手段１２から信号の入力を受けたモード選択手段１１は、ステップＳ１において、不揮発性記憶手段１５に記憶された検査状況を参照し、検査完了データが記憶されているか検査未完了データが記憶されているかを判定する。
【００３９】
検査未完了データが記憶されていた場合（ステップＳ１において「Ｎｏ」である場合）には、ステップＳ２において、モード選択手段１１が検査モードの実行を選択し、検査モード実行手段１６に検査モードを実行させる。また、検査状況判定手段１３から入力を受けた通知部２０が、検査が未完了である旨の通知を行う。
【００４０】
そして、ステップＳ３において、検査状況判定手段１３が、制御部１０の検査が完了しているかどうかを判定する。制御部１０の検査が完了していなければ（ステップＳ３において「Ｎｏ」ならば）、ステップＳ２の検査モードの実行が検査モード実行手段１６によって継続される。通知部２０は検査が未完了であるとの通知を行い続ける。
【００４１】
一方、ステップＳ３において、検査状況判定手段１３が、制御部１０の検査が完了したと判定すれば（ステップＳ３において「Ｙｅｓ」ならば）、ステップＳ４に遷移し、検査状況判定手段１３からの信号入力を受けたデータ書き換え手段１４が不揮発性記憶手段１５に記憶された検査未完了データを検査完了データに書き換える。また、検査状況判定手段１３から入力を受けた通知部２０が検査が完了しているとの通知を行う。
【００４２】
その後、電源プラグを抜く等して制御部１０への電源供給が遮断されるまでは、制御装置１はそのままの状態で待機する。つまり、検査モードも通常モードも実行されない状態となる。通知手段２０は、検査が完了していることを示す通知を行ったままの状態となる。
【００４３】
一方、ステップＳ１において、モード選択手段１１が参照した不揮発性記憶手段１５に検査完了データが記憶されていた場合（ステップＳ１において「Ｙｅｓ」である場合）には、ステップＳ６において、モード選択手段１１が通常モードの実行を選択し、通常モード実行手段１７に通常モードでの制御部１０の運転を実行させる。また、検査状況判定手段１３から入力を受けた通知部２０が、検査が完了している旨の通知を行う。
【００４４】
ここで、ステップＳ７において、特殊入力部３０からのデータ書き換えのための入力が行われない限り（ステップＳ７で「Ｎｏ」である限り）、ステップＳ６における通常モードの実行が継続される。
【００４５】
一方、ステップＳ６において通常モードが実行されている状態においてステップＳ７において特殊入力手段３０によってデータ書き換え手段１４にデータの書き換えが指示されると（ステップＳ７において「Ｙｅｓ」であると）、データ書き換え手段１４が不揮発性記憶手段１５に記憶された検査完了データを検査未完了データに書き換える。その後、ステップＳ６に遷移し、再び通常モードが実行される。
【００４６】
製造直後の制御部１０の不揮発性記憶手段１５には検査未完了データが記憶されているので、製造者が制御部１０の検査を行うために最初に制御部１０に電源を投入すると、Ｓ１→Ｓ２→Ｓ３→Ｓ２→Ｓ３→…→Ｓ２→Ｓ３→Ｓ４→Ｓ５の順に各ステップが実行される。ステップＳ５の後、製造者が制御部１０への電源供給を遮断して、制御部１０を市場に供給し、それを購入した使用者が制御部１０に電源を投入すると、既に検査が製造者によって完了されているので、Ｓ１→Ｓ６→Ｓ７→Ｓ６→Ｓ７→…の各ステップが実行され、使用者は通常モードで制御装置１及びそれによって制御される電子機器の使用を開始することができる。使用者が一旦電源供給を遮断した後、再び電源投入を行った場合も同様である。制御部１０の検査が完了していない制御装置１に対しては、通常モードを実行させることができないので、制御部１０の検査が完了した制御装置１のみを使用者が通常モードで使用することが保証される。
【００４７】
一方、製造者が一旦検査を完了し、電源供給を遮断した制御部１０に対して再検査を行いたい場合には、再び電源投入を行うと、Ｓ１→Ｓ６→Ｓ７→Ｓ６→Ｓ７…の各ステップが実行されるので、そこで特殊入力部３０による入力を行えば、Ｓ７→Ｓ８→Ｓ６→Ｓ７→…のステップが実行される。ここで一旦制御部１０への電源供給を遮断し、再び電源投入を行えば、Ｓ１→Ｓ２→Ｓ３→Ｓ２→Ｓ３→…→Ｓ２→Ｓ３→Ｓ４→Ｓ５の順に各ステップが実行され、再検査を行うことができる。
【００４８】
なお、製造者が、制御部１０に異常や故障がないことを上記検査モードの実行によって確認したうえで、制御装置１及びそれに制御される電子機器全体の動作を確認する検査（製品検査）を行う場合には、上記ステップＳ５に続いて行えばよい。また、万一制御部１０の検査に特化した上記検査モードが実行されていない制御装置１に対して、製品検査が行われた場合にも、製品検査のために電源を投入した際に、Ｓ１→Ｓ２→Ｓ３→Ｓ２→Ｓ３→…→Ｓ２→Ｓ３→Ｓ４→Ｓ５のステップが実行され、制御部１０の検査に特化した検査モードが実行される。
【００４９】
以上のような構成を有する制御装置１は、検査モードと通常モードを必要とするいかなる電子機器に対しても適用することができるが、温水洗浄便座に代表される衛生洗浄装置に対して好適に適用することができる。衛生洗浄装置においては人体に構成部材や温水が直接接触するが、上記のように制御部１０に電源を投入すると、自動的に制御部１０の検査が完了しているかどうかが判定及び通知され、検査モードが実行されるので、制御部１０の不具合に起因する感電や火傷等の深刻な事故を効果的に防止することができる。
【００５０】
以上、本発明の実施形態について詳細に説明したが、本発明は上記実施例に何ら限定されるものではなく、本発明の要旨を逸脱しない範囲で種々の改変が可能である。
【符号の説明】
【００５１】
１        制御装置
１０      制御部
１１      モード選択手段
１２      電源投入検出手段
１３      検査状況判定手段
１４      データ書き換え手段
１５      不揮発性記憶手段
１６      検査モード実行手段
１７      通常モード実行手段
２０      通知部
３０      特殊入力部
【図１】
2014106067.tif 000003
【図２】
2014106067.tif 000004